(57)【要約】【課題】接触部を被接触部に設置するときにおける接触部と被接触部との間の電気的接続の信頼性を高めることができるコネクタを提供する。【解決手段】被接触部１３が設けられている基板３と、接触部１５とこの接触部１５を付勢する付勢部１７とを備えた端子５と、端子５を基板３に設置するとき端子５の接触部１５が基板３の被接触部１３に接触して付勢部１７で被接触部１３を押し端子３がワイピングするようにガイドするガイド手段とを有するコネクタ１である。【選択図】図１２
2013045550.tif 000002
【特許請求の範囲】
【請求項１】
被接触部が設けられている基板と、
接触部と、この接触部を付勢する付勢部とを備えた端子と、
前記端子を前記基板に設置するとき、前記端子の接触部が前記基板の被接触部に接触して前記付勢部で前記被接触部を押し前記端子がワイピングするようにガイドするガイド手段と、
を有することを特徴とするコネクタ。
【請求項２】
被接触部が設けられている基板と、
接触部と、この接触部を付勢する付勢部とを備えた端子と、
前記端子を収容する端子収容室を備えた小コネクタと、
前記基板に一体的に設けられ、前記端子を収容した小コネクタを前記基板に設置するとき、前記端子の接触部が前記基板の被接触部に接触して前記付勢部で前記被接触部を押し、前記端子がワイピングするように前記端子をガイドするガイド部を備えた筐体と、
を有することを特徴とするコネクタ。
【請求項３】
被接触部が設けられている基板と、
接触部と、この接触部を付勢する付勢部とを備えた端子と、
前記端子を収容する端子収容室を備えた小コネクタと、
前記小コネクタが限定運動するように前記小コネクタを支持するホルダと、
前記基板に一体的に設けられ、前記端子を収容した前記小コネクタを支持している前記ホルダを設置するとき、前記ホルダが限定運動をするとともに、前記小コネクタが前記ホルダに対して前記限定運動をし、前記端子の接触部が前記基板の被接触部に接触して前記付勢部で前記被接触部をワイピングするように、前記小コネクタと前記ホルダとをガイドするガイド部を備えたケースと、
を有することを特徴とするコネクタ。
【請求項４】
請求項３に記載のコネクタにおいて、
前記端子を収容した前記小コネクタを支持している前記ホルダを前記ケースに設置する前の状態では、前記ホルダに設けられている仮係止部に前記小コネクタに設けられている仮被係止部が係合することで、前記ホルダに対して前記小コネクタが仮係止位置に位置するようになっており、
前記ホルダを前記ケースに設置するときに、前記小コネクタの仮被係止部が前記ホルダの仮係止部から外れ、前記小コネクタが前記ホルダに対して前記限定運動をするように構成されていることを特徴とするコネクタ。
【請求項５】
係止部と被接触部とが設けられている基板と、
接触部と、この接触部を付勢する付勢部とを備えた端子と、
揺動支軸と仮被係止部と揺動係合部と前記端子を収容する端子収容室とを備えた小コネクタと、
揺動支軸受けと仮係止部とを備え、前記小コネクタの揺動支軸が前記揺動支軸受けに係合し前記小コネクタの仮被係止部が前記仮係止部に係合するように、前記小コネクタを内部に収容するホルダと、
被係止部と揺動被係合部とを備えたケースと、
を有し、前記ケースの被係止部が前記基板の係止部に係止されて前記ケースが前記基板に一体的に設けられ、前記端子が設置された前記小コネクタが前記ホルダ内部に収容された状態で、前記ホルダを前記ケース内に設置するときに、前記小コネクタの揺動係合部が前記ケースの揺動被係合部に当接して押され、前記小コネクタの仮被係止部が前記ホルダの仮係止部から外れ、前記揺動支軸を中心にして前記小コネクタが揺動し、この揺動をするときに、前記端子の接触部が前記基板の被接触部に接触して前記付勢部で前記被接触部をワイピングするように構成されていることを特徴とするコネクタ。
【発明の詳細な説明】
【技術分野】
【０００１】
本発明は、コネクタに係り、特に、設置のときにワイピングを行うものに関する。
【背景技術】
【０００２】
従来、図２５、図２６に示すように、２つの支持部材２０１，２０２を備えたコネクタが知られている（たとえば、特許文献１参照）。このコネクタでは、２つの支持部材２０１，２０２のうちの一方の支持部材２０１の接触子（端子）が他方の支持部材２０２の接触子と係合するように、それぞれの接触子２０６を支持している。上記各接触子２０６は、図２７、図２８で示すように、一体の波形タブ２０９によって、摺動可能に設けられたヘッド（接触部）２０８を備えている。
【先行技術文献】
【特許文献】
【０００３】
【特許文献１】特表平１０−５０４６７６号公報
【発明の概要】
【発明が解決しようとする課題】
【０００４】
ところで、従来のコネクタでは、端子２０６をオスメスコネクタの端子収容室に収容してコネクタを嵌合するときに、端子２０６の接触部２０８同士が接触することで、各端子２０６同士が電気的に接続するようになっている（支持部材２０１に設けられた端子２０６の接触部２０８が、支持部材２０２に設けられた端子２０６の接触部２０８の接触するようになっている）。
【０００５】
しかし、従来のコネクタでは、２つの支持部材２０１，２０２を接合するときに端子２０６同士を垂直に付き合わせるだけであるので、接触部２０８の表面に形成されている薄い酸化被膜が除去されず、端子２０６同士の電気的接続の信頼性が低下する場合があるという問題がある。
【０００６】
本発明は、上記問題点に鑑みてなされたものであり、接触部を被接触部に設置するときにおける前記接触部と前記被接触部との間の電気的接続の信頼性を高めることができるコネクタを提供することを目的とする。
【課題を解決するための手段】
【０００７】
請求項１に記載の発明は、被接触部が設けられている基板と、接触部と、この接触部を付勢する付勢部とを備えた端子と、前記端子を前記基板に設置するとき、前記端子の接触部が前記基板の被接触部に接触して前記付勢部で前記被接触部を押し前記端子がワイピングするようにガイドするガイド手段とを有するコネクタである。
【０００８】
請求項２に記載の発明は、被接触部が設けられている基板と、接触部と、この接触部を付勢する付勢部とを備えた端子と、前記端子を収容する端子収容室を備えた小コネクタと、前記基板に一体的に設けられ、前記端子を収容した小コネクタを前記基板に設置するとき、前記端子の接触部が前記基板の被接触部に接触して前記付勢部で前記被接触部を押し、前記端子がワイピングするように前記端子をガイドするガイド部を備えた筐体とを有するコネクタである。
【０００９】
請求項３に記載の発明は、被接触部が設けられている基板と、接触部と、この接触部を付勢する付勢部とを備えた端子と、前記端子を収容する端子収容室を備えた小コネクタと、前記小コネクタが限定運動するように前記小コネクタを支持するホルダと、前記基板に一体的に設けられ、前記端子を収容した前記小コネクタを支持している前記ホルダを設置するとき、前記ホルダが限定運動をするとともに、前記小コネクタが前記ホルダに対して前記限定運動をし、前記端子の接触部が前記基板の被接触部に接触して前記付勢部で前記被接触部をワイピングするように、前記小コネクタと前記ホルダとをガイドするガイド部を備えたケースとを有するコネクタである。
【００１０】
請求項４に記載の発明は、請求項３に記載のコネクタにおいて、前記端子を収容した前記小コネクタを支持している前記ホルダを前記ケースに設置する前の状態では、前記ホルダに設けられている仮係止部に前記小コネクタに設けられている仮被係止部が係合することで、前記ホルダに対して前記小コネクタが仮係止位置に位置するようになっており、前記ホルダを前記ケースに設置するときに、前記小コネクタの仮被係止部が前記ホルダの仮係止部から外れ、前記小コネクタが前記ホルダに対して前記限定運動をするように構成されているコネクタである。
【００１１】
請求項５に記載の発明は、係止部と被接触部とが設けられている基板と、接触部と、この接触部を付勢する付勢部とを備えた端子と、揺動支軸と仮被係止部と揺動係合部と前記端子を収容する端子収容室とを備えた小コネクタと、揺動支軸受けと仮係止部とを備え、前記小コネクタの揺動支軸が前記揺動支軸受けに係合し前記小コネクタの仮被係止部が前記仮係止部に係合するように、前記小コネクタを内部に収容するホルダと、被係止部と揺動被係合部とを備えたケースとを有し、前記ケースの被係止部が前記基板の係止部に係止されて前記ケースが前記基板に一体的に設けられ、前記端子が設置された前記小コネクタが前記ホルダ内部に収容された状態で、前記ホルダを前記ケース内に設置するときに、前記小コネクタの揺動係合部が前記ケースの揺動被係合部に当接して押され、前記小コネクタの仮被係止部が前記ホルダの仮係止部から外れ、前記揺動支軸を中心にして前記小コネクタが揺動し、この揺動をするときに、前記端子の接触部が前記基板の被接触部に接触して前記付勢部で前記被接触部をワイピングするように構成されているコネクタである。
【発明の効果】
【００１２】
本発明によれば、接触部を被接触部に設置するときにおける前記接触部と前記被接触部との間の電気的接続の信頼性を高めることができるという効果を奏する。
【図面の簡単な説明】
【００１３】
【図１】コネクタを示す斜視図である。
【図２】図１におけるＩＩ矢視図である。
【図３】（ａ）は、図２におけるＩＩＩＡ−ＩＩＩＡ断面を示す図であり、（ｂ）は、（ａ）におけるＩＩＩＢ部の拡大図である。
【図４】ホルダを示す斜視図である。
【図５】（ａ）は、図４におけるＶＡ矢視図であり、（ｂ）は、（ａ）におけるＶＢ矢視図である。
【図６】小コネクタを示す斜視図である。
【図７】（ａ）は、図６におけるＶＩＩＡ矢視図であり、（ｂ）は、（ａ）におけるＶＩＩＢ矢視図である。
【図８】（ａ）は、端子の分解斜視図であり、（ｂ）は、端子の斜視図である。
【図９】ケースの斜視図である。
【図１０】図９におけるＸ矢視図である。
【図１１】基板の斜視図である。
【図１２】コネクタの分解斜視図である。
【図１３】（ａ）は、基板にケースを設置する前の状態を示す斜視図であり、（ｂ）は、基板にケースを設置した状態を示す斜視図である。
【図１４】（ａ）は、図１３（ｂ）におけるＸＩＶＡ矢視図であり、（ｂ）は、（ａ）におけるＸＩＶＢ−ＸＩＶＢ断面を示す図であり、（ｃ）は、（ｂ）におけるＸＩＶＣ部の拡大図である。
【図１５】（ａ）は、ホルダに小コネクタを設置する前の状態を示す斜視図であり、（ｂ）は、ホルダに小コネクタを仮設置した状態（小コネクタが仮係止位置にある状態）を示す斜視図である。
【図１６】図１５（ｂ）におけるＸＶＩ矢視図である。
【図１７】（ａ）は、図１６におけるＸＶＩＩＡ−ＸＶＩＩＡ断面を示す図であり、（ｂ）は、図１６におけるＸＶＩＩＢ−ＸＶＩＩＢ断面を示す図であり、（ｃ）は、（ｂ）におけるＸＶＩＩＣ部の拡大図である。
【図１８】基板に設置されたケースに、小コネクタが仮設置されたホルダを設置する前の状態を示す斜視図である。
【図１９】基板に設置されたケースに、小コネクタが仮設置されたホルダを設置する途中の状態を示す斜視図である。
【図２０】図１９におけるＸＸ矢視図である。
【図２１】（ａ）は、図２０におけるＸＸＩＡ−ＸＸＩＡ断面を示す図であり、（ｂ）は、（ａ）におけるＸＸＩＢ部の拡大図である。
【図２２】基板に設置されたケースに、小コネクタが仮設置されたホルダを設置する途中の状態を示す斜視図である。
【図２３】図２２におけるＸＸＩＩＩ矢視図である。
【図２４】（ａ）は、図２３におけるＸＸＩＶＡ−ＸＸＩＶＡ断面を示す図であり、（ｂ）は、（ａ）におけるＸＸＩＶＢ部の拡大図である。
【図２５】従来のコネククタを示す図である。
【図２６】従来のコネククタを示す図である。
【図２７】従来の端子を示す図である。
【図２８】従来の端子を示す図である。
【発明を実施するための形態】
【００１４】
本発明の実施形態に係るコネクタ１は、図１２で示すように、たとえば、平板状に形成された基板３と端子（コンタクト）５と小コネクタ７とホルダ９とケース１１とを備えて構成されている。
【００１５】
基板３には、図１１で示すように、被接触部（たとえば、複数の被接触部）１３が設けられている。端子５には、図８に示すように、接触部１５と付勢部（弾性部）１７と小筐体（箱部）２１とが設けられている。付勢部１７は、接触部１５が所定の方向に移動するように接触部１５を付勢するものである。
【００１６】
小コネクタ７には、図６や図７で示すように、端子５を収容する端子収容室（たとえば複数の端子収容室）１９が設けられている。小コネクタ７に収容された端子５の小筐体２１は、小コネクタ７と一体化し、小コネクタ７から突出する方向に付勢部１７が接触部１５を付勢している（たとえば、付勢部１７が図３の下方向に接触部１５を付勢している）。
【００１７】
ホルダ９は、小コネクタ７が限定運動（第１の限定運動；たとえば、所定の軸を中心にして揺動）するように小コネクタ７を支持するようになっている（図１５〜図２４参照）。
【００１８】
ケース１１は、基板３に一体的に設けられるようになっている（図１３、図１４参照）。また、ケース１１には、ガイド部２３が設けられている。
【００１９】
ガイド部２３は、ケース１１が基板３に一体的に設けられている状態で、端子５を収容した小コネクタ７を支持しているホルダ９をケース１１に設置するとき（端子５を基板３に設置し終える直前からし終えるまでの間；設置途中状態のとき）、ホルダ９がケース１１に対して限定運動（第１の限定運動とは異なる第２の限定運動；たとえば、直線的に移動）をするようなガイドをするようになっている（図１８〜図２４、図１〜図３参照）。
【００２０】
また、ガイド部２３は、上記設置途中状態のとき、小コネクタ７がホルダ９に対して前記第１の限定運動をし、端子５の接触部１５が基板３の被接触部１３に接触して付勢部１７で被接触部１３を押し（押圧し）ワイピングするような（拭うような）ガイドをするようになっている。
【００２１】
ケース１１とホルダ９とには、固定部２５が設けられている。この固定部２５は、ケース１１のガイド部２３を用いて端子５が設置されている小コネクタ７とホルダ９とを、基板３に設置されているケース１１に設置し終えたときに（図１〜図３で示す設置終了状態のときに）、小コネクタ７とホルダ９とケース１１とを一体化するものである。
【００２２】
このように、小コネクタ７とホルダ９とケース１１とが一体化されている状態では、端子５の付勢部１７で端子５の接触部１５が基板３の被接触部１３を押圧し、端子５の接触部１５と基板３の被接触部１３とがお互いに電気的に接続されている。
【００２３】
コネクタ１では、端子５を収容した小コネクタ７を支持しているホルダ９をケース１１に設置する前の状態で、ホルダ９に設けられている仮係止部２７に小コネクタ７に設けられている仮被係止部２９が係合することで、ホルダ９に対して小コネクタ７が仮係止位置に位置するようになっている（図１５（ｂ）参照）。
【００２４】
また、コネクタ１では、ホルダ９をケース１１に設置するときに、小コネクタ７の仮被係止部２９がホルダ９の仮係止部２７から外れ、小コネクタ７がホルダ９に対して前述した第１の限定運動をするように構成されている。
【００２５】
ここで、コネクタ１について例を掲げてさらに詳しく説明する。
【００２６】
説明の便宜のために、コネクタ１やこの構成部品（ケース１１等）における一方向を幅方向とし、幅方向に直交する他の一方向を前後方向とし、幅方向と前後方向とに直交する方向を高さ方向（縦方向；上下方向）とする。
【００２７】
基板３は、図１１で示すように、矩形な平板状に形成されている。基板３には、係止部（被係止部収容部）３１と複数の被接触部１３とが設けられている。
【００２８】
基板３の被接触部１３は、金属等の導電性材料で構成されている。被接触部１３は、絶縁性の材料で平板状に構成されている矩形な平板状の基板本体部３３の厚さ方向の一方の面に設けられている。被接触部１３が設けられている基板本体部３３の厚さ方向の一方の面は平面状になっている。また、各被接触部１３はお互いが所定の間隔をあけて離れて設けられており、基板本体部３３の前後方向の中央部で幅方向にならんでいる。
【００２９】
係止部３１は、基板本体部３３をこの厚さ方向（高さ方向）に貫通している貫通孔３５で形成されている。一対の貫通孔３５は、基板本体部３３の前後方向では中央部に位置し、基板本体部３３の幅方向では各被接触部１３から離れて各被接触部１３の外側に位置している。
【００３０】
端子５は、図８で示すように、矩形な筒状に形成された小筐体２１と、接触部１５と付勢部（バネ部）１７とを備えた接触部材３７とで構成されている。小筐体２１と接触部材３７とは、金属等の導電性材料で構成されている。
【００３１】
接触部材３７は、小筐体２１の内側で小筐体２１に係合しており、接触部材３７の接触部１５が小筐体２１に対して所定の距離だけ移動自在になっている。接触部材３７の付勢部１７は、接触部材３７の接触部１５が小筐体２１から突出するように接触部１５を付勢している。付勢部１７の端部（接触部１５とが反対側の端部）は、小筐体２１に一体的に設けられている。
【００３２】
そして、端子５が単体で存在しているときには、接触部１５は、小筐体２１に対して最も突出した位置（最突出位置）に存在している。この状態から小筐体２１の内部に引っ込む方向に接触部１５が押されると、付勢部１７が圧縮されて弾性変形し、接触部１５が小筐体２１の内部に引っ込む方向に移動するようになっている。なお、端子５において、接触部１５と付勢部１７とが別体で構成されていてもよい。
【００３３】
上述した設置途中状態のうちで、接触部材３７の接触部１５が基板３（たとえば被接触部１３）に接触している状態では、接触部１５は、最突出位置よりも引っ込んだところに位置しており、接触部１５の先端（付勢部１７とは反対側の端部）が、小筐体２１の端部（上下方向の下端）から突出している（図２１、図２４参照）。
【００３４】
上記設置終了状態では、接触部１５は、最突出位置よりも引っ込んだところに位置しており、接触部１５の先端（付勢部１７とは反対側の端部）が、小筐体２１の端部（上下方向の下端）とたとえば同じところに位置している（図３参照）。
【００３５】
端子５は、被接触部１３や端子収容室１９の数と同じ数だけ存在しており、各端子５の接触部１５それぞれが各被接触部１３のそれぞれを押圧するようになっている。すなわち、１つの被接触部１３に対して１つの端子５が係合して押圧する構成が、被接触部１３（端子５）の数と同じ数存在している。
【００３６】
また、端子５には、ケーブル係止部３９が設けられている。ケーブル係止部３９は、小筐体２１の上端に設けられている。端子５の小筐体２１とケーブル係止部３９とは、平板状の素材をたとえばプレス加工することで一体成形されている。ケーブル係止部３９に電線等のケーブルＣＢ（図１２等参照）を設置しケーブル係止部３９をカシメることで、ケーブルＣＢが、ケーブル係止部３９（小筐体２１）に一体的に設置されるようになっている。小筐体２１に設置されたケーブルＣＢは、小筐体２１の上側から上方に延出するようになっている。
【００３７】
小コネクタ７には、図６や図７で示すように、揺動支軸４１と仮被係止部（仮係止突起収容部）２９と揺動係合部（揺動当接部）４３と端子５を収容する複数の端子収容室１９とが設けられている。
【００３８】
なお、小コネクタ７に収容された端子５の小筐体２１は、小コネクタ７と一体化しており、付勢部１７が小コネクタ７から突出する方向に接触部１５を付勢している。
【００３９】
小コネクタ７は、樹脂等の絶縁性材料によって一体成形されており、直方体状の小コネクタ本体部４５と、前述した端子収容室１９と揺動係合部４３と揺動支軸４１と仮被係止部２９とを備えて構成されている。端子収容室１９は、小コネクタ本体部４５をこの高さ方向に貫通する貫通孔で形成されている。
【００４０】
端子収容室１９は、すでに理解されるように、基板３の被接触部１３の数と同じ数だけ存在しており、小コネクタ本体部４５の幅方向で所定の間隔をあけてならんでいる。また、各端子５のそれぞれが各端子収容室１９のそれぞれに収容されるようになっている。
【００４１】
端子収容室１９に端子５を収容した小コネクタ７の単体は、端子５の小筐体２１が小コネクタ本体部４５に一体的に設けられ、端子５の接触部１５が小コネクタ本体部４５から突出し最突出位置に位置している。また、ケーブルＣＢが小コネクタ７の上端から上方に延出している。
【００４２】
小コネクタ７の揺動支軸４１は、一対の円柱状の突起（揺動支持突起）によって形成されている。揺動支軸４１は、小コネクタ本体部４５の上端の近傍に位置し、小コネクタ本体部４５の幅方向の両端部から突出している。
【００４３】
小コネクタ７の仮被係止部２９は、揺動支軸４１に比べて大きさ、剛性、強度が小さい一対の凹部（仮係止突起収容孔）で構成されている。仮被係止部２９は、小コネクタ本体部４５の下端の近傍に位置し、小コネクタ本体部４５の幅方向の両端部に凹んで設けられている。
【００４４】
小コネクタ７の揺動係合部４３は、仮被係止部２９よりも大きく小コネクタ本体部４５よりも小さい直方体状の突起（揺動用突起）で構成されている。揺動係合部４３は、高さ方向では、小コネクタ本体部４５の上端側に位置し、幅方向では、小コネクタ本体部４５の中央に位置し、前後方向では、小コネクタ本体部４５の後端の面から突出している。
【００４５】
ホルダ９には、前述した固定部２５を構成している被係止部４７と揺動支軸受け４９と仮係止部２７とが設けられている。そして、小コネクタ７の揺動支軸４１が揺動支軸受け４９に係合し小コネクタ７の仮被係止部２９が仮係止部２７に係合するようにして、ホルダ９が小コネクタ７を内部に収容するようになっている。このようにして、収容された小コネクタ７は、仮設置された状態（仮係止状態）にあり、図１７等で示すように、小コネクタ７の下側の部位が第２の切り欠き６１に入り込み、ホルダ９に対して斜めに傾いている。
【００４６】
ホルダ９は、樹脂等の絶縁性材料によって一体成形されており、図４や図５で示すように、矩形な筒状のホルダ本体部５１と、前述した被係止部４７と揺動支軸受け４９と揺動支軸受け２７とに加えて、ストッパ５３とを備えて構成されている。
【００４７】
矩形な筒状に形成されているホルダ本体部５１は、４枚の側壁５７Ａ，５７Ｂ，５７Ｃ，５７Ｄによって形成されている。ホルダ本体部５１の内部は、小コネクタ７が収容されるコネクタ収容部５５になっている。
【００４８】
なお、側壁５７Ａは幅方向の一端に位置し、側壁５７Ｂは幅方向の他端に位置し、側壁５７Ｃは前後方向の後端に位置し、側壁５７Ｄは前後方向の前端に位置しており、ホルダ本体部５１の内部に形成されているコネクタ収容部５５は、ホルダ９の上下方向で貫通している。
【００４９】
側壁５７Ｃには、矩形状の第１の切り欠き５９が設けられている。第１の切り欠き５９は、ホルダ９の幅方向では側壁５７Ｃの中央部に位置し、ホルダ９の高さ方向では、側壁５７Ｃの下端から中間部にわたって設けられている。
【００５０】
側壁５７Ｄには、矩形状の第２の切り欠き６１が設けられている。第２の切り欠き６１は、ホルダ９の幅方向では側壁５７Ｃの全長にわたって設けられており、ホルダ９の高さ方向では、側壁５７Ｃの下端から中間部にわたって設けられている。
【００５１】
ホルダ９の揺動支軸受け（揺動支持突起収容部）４９は、たとえば、一対の揺動支持突起収容孔（円柱状の貫通孔）によって構成されている。揺動支軸受け４９は、ホルダ本体部５１の側壁５７Ａ，５７Ｂをこれらの厚さ方向に貫通して設けられており、ホルダ９の高さ方向では上端に近い上側に位置し、ホルダ９の前後方向では中央よりもやや前側に位置している。
【００５２】
ホルダ９の被係止部（本係止部）４７は、たとえば、突起（本係止突起）によって構成されている。被係止部４７は、側壁５７Ｄから前方に突出しており、ホルダ９の高さ方向では上端に近い上側に位置し、ホルダ９の幅方向では中央部に位置している。
【００５３】
ホルダ９の仮係止部２７は、たとえば、一対の突起（仮係止突起）によって構成されている。仮係止部２７は、仮被係止部２９と同様にして、揺動支軸４１や被係止部４７に比べて大きさ、剛性、強度が小さい一対の凸部で構成されている。仮係止部２７は、ホルダ本体部５１の内側で側壁５７Ａ，５７Ｂから僅かに内側に突出している。また、仮係止部２７は、ホルダ９の高さ方向では下端の近傍に位置し、ホルダ９の前後方向では、揺動係合部４３よりもやや前側に位置している。
【００５４】
ホルダ９のストッパ５３は、たとえば、一対の矩形な平板状に突起（揺動防止突起）で構成されている。ストッパ５３は、ホルダ本体部５１の内側で側壁５７Ａ，５７Ｂから内側に突出している。なお、一対のストッパ５３の間の距離は、第１の切り欠き５９の幅寸法よりも小さくなっている。また、ストッパ５３は、ホルダ９の高さ方向では下端から中間部にわたって設けられており、ホルダ９の前後方向では、揺動支軸受け４９よりもやや後側に位置している。
【００５５】
ケース１１は、樹脂等の絶縁性材料によって一体成形されており、図９や図１０で示すように、矩形な筒状のケース本体部６３と、固定部２５を構成している係止部（本係止突起収容部）６５と、被係止部６７と揺動被係合部（揺動被当接部）６９とを備えている。
【００５６】
矩形な筒状に形成されているケース本体部６３は、４枚の側壁７１Ａ，７１Ｂ，７１Ｃ，７１Ｄによって形成されている。ケース本体部６３の内部は、ホルダ９が収容されるホルダ収容部７３になっている。
【００５７】
なお、側壁７１Ａは幅方向の一端に位置し、側壁７１Ｂは幅方向の他端に位置し、側壁７１Ｃは前後方向の後端に位置し、側壁７１Ｄは前後方向の前端に位置しており、ケース本体部６３の内部に形成されているホルダ収容部７３は、ケース１１の上下方向で貫通している。
【００５８】
ホルダ収容部７３の幅方向の寸法は、ホルダ９の幅方向の寸法よりも僅かに大きくなっており、ホルダ収容部７３の前後方向の寸法は、ホルダ９の前後方向の寸法よりも僅かに大きくなっている。これにより、小コネクタ７が仮設置されたホルダ９を、ケース１１の上方からホルダ収容部７３を収納するときに、ホルダ９は、上記第２の限定運動をし、ケース１１に対して上方から下方に直線的に移動するようになっている。このとき、ケース１１の揺動被係合部６９がホルダ９の第１の切り欠き５９に入り込み、揺動被係合部６９がホルダ９に干渉しないようになっている（図２１等参照）。
【００５９】
ケース１１の係止部６５は、たとえば、貫通孔（本係止突起収容）によって構成されている。係止部６５は、ホルダ本体部５１の側壁７１Ｄをこの厚さ方向に貫通している。また、係止部６５は、ケース１１の高さ方向では上端の近傍に位置し、ケース１１の幅方向では中央部に位置している。
【００６０】
ケース１１の被係止部６７は、たとえば、一対の突起（被係止突起）で構成されている。被係止部６７は、ケース本体部６３の一対の側壁７１Ａ，７１Ｂの下端から下方に突出している。また、被係止部６７は、ケース１１の前後方向では中央部に位置している。
【００６１】
そして、被係止部６７が基板３の係止部３１に入り込んで、ケース１１が基板３に一体的に設置されるようになっている。基板３に一体的に設置されたケース１１は、基板３の上面（被接触部１３が設けられている面）から上方に突出している。
【００６２】
ケース１１の揺動被係合部６９は、たとえば、直方体状の突起（揺動用突起）によって構成されている。揺動被係合部６９は、ケース本体部６３の側壁７１Ｃの内面から内側に突出している。また、揺動被係合部６９は、ケース１１の高さ方向では上端の近くに位置し、ケース１１の幅方向では中央部に位置している。
【００６３】
そして、ケース１１の被係止部６７が基板３の係止部３１に係止されてケース１１が基板３に一体的に設けられ、端子５が設置された小コネクタ７がホルダ９の内部に収容された状態（ホルダ９とケース１１とは離れている状態）で、ホルダ９をケース１１内に直線的に押し込んでケース１１内に設置するときに（設置途中状態のときに）、ケース１１でホルダ９がガイドされるように構成されている。
【００６４】
この設置途中状態のときに、小コネクタ７の揺動係合部４３がケース１１の揺動被係合部６９に当接して押され、小コネクタ７の仮被係止部２９がホルダ９の仮係止部２７から外れ、揺動支軸４１を中心にして小コネクタ７がホルダ９に対して揺動し、この揺動をするときに、端子５の接触部１５が基板３の被接触部１３に接触して付勢部１７で被接触部１３を押し（押圧し）ワイピングするように（拭うように）なっている。
【００６５】
つまり、小コネクタ７が仮設置されたホルダ９を、ケース１１の上方からホルダ収容部７３に収納するときに、小コネクタ７の揺動係合部４３がケース１１の揺動被係合部に当接して、小コネクタ７がホルダ９に対して上述した第１の限定運動をするようになっている。このとき、小コネクタ７の仮被係止部２９がホルダ９の仮係止部２７から外れ、小コネクタ７がホルダ９に対して、揺動係合部４３の軸を中心にして回動するようになっている。
【００６６】
なお、図２１、図２４、図３から理解されるように、設置途中状態におけるコネクタ１では、端子５の接触部１５は、下降しかつ揺動しつつ、基板３の被接触部１３に接近するようになっている。また、端子５の接触部１５による基板３の被接触部１３のワイピングは、設置途中状態の後半でなされるようになっている。
【００６７】
次に、コネクタ１の組み立てについて説明する。
【００６８】
まず、図１２、図１５で示すように、端子５と、小コネクタ７が仮設置されているホルダ９と、ケース１１と、基板３とが離れている状態を初期状態とする。
【００６９】
この初期状態において、基板３にケース１１を設置し（図１３参照）、端子５にケーブルＣＢを設置し、ケーブルＣＢが設置された端子５を小コネクタ７の端子収容室１９内に設置する。
【００７０】
続いて、図１８、図２１で示すように、端子５が設置されている小コネクタ７が仮設置（仮係止）されているホルダ９を、基板３に設置されているケース１１内に挿入する（ホルダ９を下方に移動して設置途中状態にする）。
【００７１】
これにより、ホルダ９と小コネクタ７とが下方に移動するとともに、小コネクタ７の揺動係合部４３がケース１１の揺動被係合部６９に当接して押され、小コネクタ７の仮被係止部２９がホルダ９の仮係止部２７から外れ、揺動支軸４１を中心にして小コネクタ７がホルダ９に対して揺動する。
【００７２】
ホルダ９をさらに下方に移動すると、図２４で示すように、端子５の接触部１５が基板３の被接触部１３に接近する（接触部１５が基板３の上面に接触する）。この接触後にホルダ９をさらに下方に移動すると、小コネクタ７がさらに揺動して端子５の接触部１５が基板３の被接触部１３に接触し、端子５の接触部１５による基板３の被接触部１３のワイピングが始まる。このとき、端子５の付勢部１７が弾性変形し、端子５の接触部１５が基板３の被接触部１３を押圧する。
【００７３】
なお、図２４（ｂ）では、端子５の接触部１５が基板３の被接触部１３に接触していないが、被接触部１３の大きさを図２４（ｂ）の左側に延長して大きくし、図２４（ｂ）に示す状態で、端子５の接触部１５が基板３の被接触部１３に接触するようにしてもよい。
【００７４】
ホルダ９をさらに下方に移動すると、図３で示すように、小コネクタ本体部４５がホルダ９のストッパに当接し、ホルダ９の被係止部４７がケース１１の係止部６５に入り込んで、コネクタの組み立てが終了し、上述した設置終了状態になる。
【００７５】
コネクタ１によれば、端子５を基板３に設置するときに（端子５の接触部１５を基板３の被接触部１３に電気的に接続させるときに）、端子５の接触部１５が基板３の被接触部１３に接触してワイピングするので、このワイピングによって端子５の接触部１５の酸化被膜と基板３の被接触部１３の酸化被膜とが除去され、端子５の接触部１５と基板３の被接触部１３との間の電気的接続の信頼性を高めることができる（電気抵抗の値を小さくすることができる）。
【００７６】
また、コネクタ１によれば、端子５を収容した小コネクタ７を支持しているホルダ９をケース１１に設置する前の状態で、ホルダ９に設けられている仮係止部２７に小コネクタ７に設けられている仮被係止部２９が係合し、小コネクタ７がホルダ９に対して仮係止位置に位置するので、小コネクタ７の姿勢や位置が安定し、ホルダ９のケース１１への設置がしやすくなっている。
【００７７】
なお、上述したコネクタ１は、被接触部が設けられている基板と、接触部とこの接触部が所定の方向に移動するように前記接触部を付勢する付勢部とを備えた端子と、前記端子を収容する端子収容室を備えた小コネクタと、前記基板に一体的に設けられ前記端子を収容した小コネクタを前記基板に設置するとき前記端子の接触部が前記基板の被接触部に接触して前記付勢部で前記被接触部を押し前記端子がワイピングするように前記端子をガイドするガイド部を備えた筐体とを有するコネクタの例である。
【００７８】
このコネクタの筐体には、固定部が設けられている。この固定部は、筐体の端子ガイド部を用いて端子を基板に設置し終えたときに、端子と基板とを一体化するものである。固定部で一体化された状態では、端子の付勢部で端子の接触部が基板の被接触部を押圧し、端子の接触部と基板の被接触部とがお互いに電気的に接続されている。
【００７９】
また、上述したコネクタ１は、被接触部が設けられている基板と、接触部とこの接触部が所定の方向に移動するように前記接触部を付勢する付勢部とを備えた端子と、前記端子を前記基板に設置するとき前記端子の接触部が前記基板の被接触部に接触して前記付勢部で前記被接触部を押し前記端子がワイピングするように前記端子をガイドするガイド手段とを有するコネクタの例である。
【００８０】
このコネクタには、前記端子ガイド手段を用いて前記端子を前記基板に設置し終えたときに、前記端子と前記基板とを一体化し、前記端子の付勢部で前記端子の接触部が前記基板の被接触部を押圧し、前記端子の接触部と前記基板の被接触部とがお互いに電気的に接続させる固定手段（固定機構）が設けられている。
【符号の説明】
【００８１】
１  コネクタ
３  基板
５  端子
７  小コネクタ
９  ホルダ
１１  ケース
１３  被接触部
１５  接触部
１７  付勢部
１９  端子収容室
２３  ガイド部
２７  仮係止部
２９  仮被係止部
３１  係止部
４１  揺動支軸
４３  揺動係合部
４９  揺動支軸受け
６７  被係止部
６９  揺動被係合部
【図１】
2013045550.tif 000003
【図２】
2013045550.tif 000004
【図４】
2013045550.tif 000005
【図５】
2013045550.tif 000006
【図６】
2013045550.tif 000007
【図７】
2013045550.tif 000008
【図８】
2013045550.tif 000009
【図９】
2013045550.tif 000010
【図１０】
2013045550.tif 000011
【図１１】
2013045550.tif 000012
【図１３】
2013045550.tif 000013
【図１４】
2013045550.tif 000014
【図１５】
2013045550.tif 000015
【図１６】
2013045550.tif 000016
【図１７】
2013045550.tif 000017
【図１８】
2013045550.tif 000018
【図１９】
2013045550.tif 000019
【図２０】
2013045550.tif 000020
【図２２】
2013045550.tif 000021
【図２３】
2013045550.tif 000022
【図３】
2013045550.tif 000023
【図１２】
2013045550.tif 000024
【図２１】
2013045550.tif 000025
【図２４】
2013045550.tif 000026
【図２５】
2013045550.tif 000027
【図２６】
2013045550.tif 000028
【図２７】
2013045550.tif 000029
【図２８】
2013045550.tif 000030